(57)【特許請求の範囲】
【請求項１】
電子機器本体部と、
液晶表示装置等が収納される表示部と、
前記本体部に前記表示部を閉状態と開状態に回動可能に取り付けるためのヒンジ部とで構成され、
前記表示部は、
閉状態のとき外面となる上筐体と、
閉状態のとき内面となり前記液晶表示装置を覆うカバーと、
閉状態を保持するため前記本体部に引っ掛ける爪部と、前記爪部を含む面に対してノブとは反対面に略垂直に壁立して配置され、フック部に接する板状突起部分を有し、前記板状突起部分がフック部に沿ってスライドするラッチノブと、
前記ラッチノブを一方向に付勢するバネと、
前記上筐体に一体に形成され、前記ラッチノブの板状突起部分と共に前記表示部の回動方向の移動を規制するフック部と
を有することを特徴とする閉状態保持ラッチを有する電子機器。
【発明の詳細な説明】
【０００１】
【発明の属する技術分野】
本発明は表示部を開閉することのできる電子機器に関し、詳しくは、不使用時に表示部が閉状態を保持するためのラッチを有する携帯型の電子機器に関する。
【０００２】
【従来の技術】
従来、ワードプロセッサーや携帯型コンピューター等の液晶表示装置等が収納された表示部を有する電子機器では、表示部が本体部にヒンジにより回動可能に取り付けられており、電子機器使用時には表示部を開状態にし、不使用時には埃防止や収納の目的で表示部を閉状態にして保持できるようにしている。
【０００３】
図２および図３は従来の表示部を開閉できる電子機器である携帯型コンピューターを示すもので、図２（ａ）は表示部が開状態の時の外観斜視図、図２（ｂ）は表示部が閉状態の時の外観斜視図、図３は表示部の先端部の断面斜視図である。図において、１１は上面にキーボード１２が設けられ、内部に主回路基板（図示せず）等が収納される本体部、１３はヒンジ部１４で本体部１１に回動可能に取り付けられ、液晶表示装置１５とその駆動回路基板（図示せず）等が収納される表示部である。また、表示部１３は、上筐体１６に液晶表示装置１５が取り付けられ、表示面側に表示範囲以外の部分を覆うためのカバー１７が取り付けられている。また、表示部１３の先端近傍には、閉状態を保持するためのラッチノブ１８が上筐体１６とカバー１７により挟まれるように取り付けられており、引張バネ１９により一方向に付勢されている。表示部１３が閉状態のときは、ラッチノブ１８先端の爪部１８ａが本体部１１に設けられた開口部１１ａに入り、引張バネ１９により開口部１１ａに引っ掛かる。これにより、表示部１３は閉状態を保持できる。表示部１３を開状態にするときには、ラッチノブ１８を引張バネ１９の付勢方向と逆方向にスライドさせると、爪部１８ａの開口部１１ａへの引っ掛かりが解除され、表示部１３を開くことができる。
【０００４】
【発明が解決しようとする課題】
上記従来の携帯型コンピューターでは、表示部１３に設けられるラッチノブ１８は上筐体１６とカバー１７により挟まれて取り付けられているだけのため、表示部１３が閉状態のとき、誤ってラッチノブ１８をスライドさせずに表示部１３を開けようとしたとき、ラッチノブ１８は開口部１１ａに引っ掛かったままのため、カバー１７に負荷がかかり、通常樹脂成形品であるカバー１７はたわみ、上筐体１６と離れ表示部先端のＡ部が開くことがあり、外観上問題となっていた。特に最近の携帯型電子機器は薄型化の傾向にあるため、その現象は大きく現れてくる。
【０００５】
本発明は、上筐体とカバーによって構成される表示部の先端の開きを防止することのできる構造を有する電子機器を提供することを目的とする。
【０００６】
【課題を解決するための手段】
この課題を解決するために本発明は、表示部の閉状態を保持するためのラッチノブの表示部の回動方向の移動を規制するフック部を表示部の上筐体に設けたものである。
【０００７】
これにより、表示部が閉状態のとき、誤ってラッチノブをスライドさせずに表示部を開けようとしたとき、表示部の先端が開くことのない携帯型の電子機器が得られる。
【０００８】
【発明の実施の形態】
本発明の請求項１に記載の発明は、
電子機器本体部と、
液晶表示装置等が収納される表示部と、
前記本体部に前記表示部を閉状態と開状態に回動可能に取り付けるためのヒンジ部とで構成され、
前記表示部は、
閉状態のとき外面となる上筐体と、
閉状態のとき内面となり前記液晶表示装置を覆うカバーと、
閉状態を保持するため前記本体部に引っ掛ける爪部と、前記爪部を含む面に対してノブとは反対面に略垂直に壁立して配置され、フック部に接する板状突起部分を有し、前記板状突起部分がフック部に沿ってスライドするラッチノブと、
前記ラッチノブを一方向に付勢するバネと、
前記上筐体に一体に形成され、前記ラッチノブの板状突起部分と共に前記表示部の回動方向の移動を規制するフック部と
を有することを特徴とする閉状態保持ラッチを有する電子機器
であり、表示部を開くときに誤ってラッチノブをスライドさせないまま行おうとしたときに、表示部先端が開くのを防止できるという作用を有する。
【０００９】
以下、本発明の実施の形態について、図１を用いて説明する。
（実施の形態１）
図１は本発明の閉状態保持ラッチを有する電子機器である携帯型コンピューターの表示部の先端部の断面斜視図である。図において、１は内部に主回路基板（図示せず）等が収納される本体部、２は液晶表示装置とその駆動回路基板（図示せず）等が収納される表示部で、上筐体３に液晶表示装置が取り付けられ、表示面側に表示範囲以外の部分を覆うためのカバー４が取り付けられている。以上の構成は従来例と同じである。そして、表示部２の先端近傍には、閉状態を保持するためのラッチノブ５が上筐体３のフック部３ａにより、表示部２の回動方向（矢印Ｂの方向）への移動を規制されて取り付けられており、引張バネ６により一方向に付勢されている。表示部２が閉状態のときは、ラッチノブ５先端の爪部５ａが本体部１に設けられた開口部１ａに入り、引張バネ６により開口部１ａに引っ掛かる。これにより、表示部２は閉状態を保持できる。表示部２を開状態にするときには、ラッチノブ５を引張バネ６の付勢方向と逆方向にスライドさせることにより、爪部５ａの開口部１ａへの引っ掛かりが解除され、表示部２を開くことができる。
【００１０】
ここで、表示部２に設けられるラッチノブ５は上筐体３のフック部３ａにより表示部２の回動方向への移動を規制されて取り付けられているため、表示部２が閉状態のとき、誤ってラッチノブ５をスライドさせずに表示部２を開けようとしたとき、ラッチノブ５は開口部１ａに引っ掛かったままであるが、ラッチノブ５はフック部３ａにより移動を規制されているため、カバー４には負荷がかからず、上筐体３とカバー４とが離れ表示部先端のＡ部が開くことはない。従って、外観上不具合は生じない。
【００１１】
なお、上記実施の形態では、フック部は上筐体と一体となっているが、これを別部品として上筐体にネジなどで取り付けてもよい。
【００１２】
【発明の効果】
以上のように本発明によれば、表示部の上筐体でラッチノブの移動を規制するため、表示部が閉状態のときに無理に開けようとした場合の表示部先端の開きを防止することができるという有利な効果が得られる。
【図面の簡単な説明】
【図１】本発明の一実施の形態による携帯型コンピューターの表示部の先端部の断面斜視図
【図２】従来の携帯型コンピューターの外観斜視図
【図３】従来の携帯型コンピューターの表示部の先端部の断面斜視図
【符号の説明】
１  本体部
２  表示部
３  上筐体
３ａ  フック部
４  カバー
５  ラッチノブ
【図１】
0003800728.tif 000002
【図２】
0003800728.tif 000003
【図３】
0003800728.tif 000004